(57)【要約】【課題】目的地到着時刻の精度を高める。【解決手段】電子機器（１）は、表示部（２）と、位置情報取得部（５０）と、記憶部（３０）と、制御部（１０）とを備えた電子機器（１）であって、制御部（１０）は、位置情報及び速度情報と、上記ユーザの状態に関する情報、又は上記ユーザの行動に対応付けられた情報の少なくとも何れか一方の情報とを参照して、推定した目的地到着時刻を表示部（２）に表示させる。【選択図】図１
2019168281.tif 000002
【特許請求の範囲】
【請求項１】
少なくとも１つの表示部と、少なくとも１つの位置情報取得部と、少なくとも１つの記憶部と、少なくとも１つの制御部とを備えた電子機器であって、
上記制御部は、
上記位置情報取得部から取得した位置情報、及び上記記憶部から取得したユーザの速度情報と、
上記ユーザの状態に関する情報、又は上記ユーザの行動に対応付けられた情報の少なくとも何れか一方の情報と
を参照して、上記ユーザの入力に基づいて設定された目的地への到着時刻を示す目的地到着時刻を推定し、
推定した目的地到着時刻を上記表示部に表示させる
ことを特徴とする電子機器。
【請求項２】
上記電子機器は、少なくとも１つの生体センサ部をさらに備え、
上記制御部は、
上記ユーザの状態に関する情報として、上記生体センサ部から取得した上記ユーザの生体情報を参照して、上記ユーザの目的地到着時刻を推定する
ことを特徴とする請求項１に記載の電子機器。
【請求項３】
上記制御部は、
上記ユーザの速度情報を、上記ユーザの状態に関する情報、及び上記ユーザの行動に対応付けられた情報の少なくとも何れか一方の情報を用いて補正し、
次回以降の目的地案内において参照可能となるように上記記憶部に格納する
ことを特徴とする請求項１又は２に記載の電子機器。
【請求項４】
上記制御部は、
上記ユーザの行動に対応付けられた情報として、上記記憶部から取得した目的地への上記ユーザの訪問履歴を参照して、上記ユーザの目的地到着時刻を推定する
ことを特徴とする請求項１から３までの何れか１項に記載の電子機器。
【請求項５】
上記制御部は、
上記ユーザの行動に対応付けられた情報として、上記記憶部から取得した上記ユーザのスケジュール情報を参照して、上記ユーザの目的地到着時刻を推定する
ことを特徴とする請求項１から４までの何れか１項に記載の電子機器。
【請求項６】
電子機器によって実行される目的地到着時刻算出方法であって
ユーザの状態に関する情報と、上記ユーザの行動に対応付けられた情報との少なくとも何れか一方の情報を参照して、上記ユーザの目的地到着時刻を推定する推定ステップと、
推定した目的地到着時刻を表示する表示ステップと、
を含むことを特徴とする目的地到着時刻算出方法。
【請求項７】
電子機器を制御する制御装置であって、
ユーザの位置情報又は速度情報と、
上記ユーザの状態に関する情報、及び上記ユーザの行動に対応付けられた情報の少なくとも何れか一方の情報と
を参照して、上記ユーザの目的地到着時刻を推定する
ことを特徴とする制御装置。
【請求項８】
請求項１から５までの何れか１項に記載の電子機器としてコンピュータを機能させるための制御プログラムであって、上記制御部としてコンピュータを機能させる為の制御プログラム。
【発明の詳細な説明】
【技術分野】
【０００１】
本発明の一様態は、目的地案内に係る電子機器、目的地到着時刻算出方法、制御装置、及び制御プログラムに関する。
【背景技術】
【０００２】
目的地への経路と、予定する目的地到着時刻とを提示可能な電子機器が従来技術として知られている。
【０００３】
以下の特許文献１では、利用者ごとに平均徒歩速度を求め、目的地案内に使用するナビゲーションシステムが開示されている。また、以下の特許文献２では、ユーザの携行物等に応じた歩行ナビゲーション情報を提供する携帯端末装置が開示されている。また、以下の特許文献３では、歩行速度及び歩幅の変化を歩行者に通知するレコーディング装置が開示されている。
【先行技術文献】
【特許文献】
【０００４】
【特許文献１】特開２００８−１１６３２０号公報（２００８年５月２２日公開）
【特許文献２】特開２００７−２６３９１８号公報（２００７年１０月１１日公開）
【特許文献３】国際公開第２０１６／０４３０８１号（２０１６年３月２４日）
【発明の概要】
【発明が解決しようとする課題】
【０００５】
しかしながら、上述のような従来技術は、目的地までの移動において、ユーザの体調、あるいは行動履歴等が考慮されておらず、提示する目的地到着時刻の誤差が大きいという問題がある。
【０００６】
本発明の一態様は、目的地到着時刻の精度を高めることを目的とする。
【課題を解決するための手段】
【０００７】
上記の課題を解決するために、本発明の一態様に係る電子機器は、少なくとも１つの表示部と、少なくとも１つの位置情報取得部と、少なくとも１つの記憶部と、少なくとも１つの制御部とを備えた電子機器であって、上記制御部は、上記位置情報取得部から取得した位置情報、及び上記記憶部から取得したユーザの速度情報と、上記ユーザの状態に関する情報、又は上記ユーザの行動に対応付けられた情報の少なくとも何れか一方の情報とを参照して、上記ユーザの入力に基づいて設定された目的地への到着時刻を示す目的地到着時刻を推定し、推定した目的地到着時刻を上記表示部に表示させる。
【発明の効果】
【０００８】
本発明の一態様によれば、目的地案内のより細かな状況に適合した情報により、ユーザを案内することができ、目的地到着時刻の精度を高めることができる。
【図面の簡単な説明】
【０００９】
【図１】実施形態１に係る電子機器の機能ブロック図である。
【図２】実施形態１に係る処理の流れを示すフローチャートである。
【図３】各要因における、ユーザの歩行速度への影響度を示す情報の例を示す図である。
【図４】影響度の合計値と移動速度に対する補正値との対応関係の例を示す図である。
【図５】実施形態２に係る処理の流れを示すフローチャートである。
【図６】新たな速度情報を求め、次回の目的地案内に使用する例を示す概略図である。
【発明を実施するための形態】
【００１０】
本発明の実施形態について図１〜図６を参照して説明すれば以下の通りである。
【００１１】
〔実施形態１〕
以下、本発明の一実施形態について、図１〜図４を参照して説明する。
【００１２】
本実施形態においては、ナビゲーション機能を有する電子機器であって、補正した目的地到着時刻、つまり目的地への到着予定時刻を提示可能な電子機器について説明する。
【００１３】
〔１．電子機器１の構成〕
図１に基づいて本実施形態の構成について説明する。
【００１４】
図１は、本実施形態に係る電子機器１の機能ブロック図である。電子機器１は、ユーザに対し、現在地から目的地へのナビゲーション機能を提供する機器である。
【００１５】
図１に示す通り、電子機器１は、制御部１０、表示部２、記憶部３０、センサ部４０、及び衛星利用測位システム５０（位置情報取得部）を備えている。
【００１６】
制御部１０は、電子機器１全体を統括する制御回路であって、算出部１１、及び表示制御部１２としても機能する。
【００１７】
算出部１１は、ユーザの移動速度、及び目的地到着時刻に係る計算を行う。表示制御部１２は、表示部２による画面表示処理に係る制御を行う。
【００１８】
表示部２は、地図あるいは経路情報等を画面に表示するタッチパネルである。ユーザは、表示部２を介して、タッチ操作等により電子機器１に対する指示操作を行うことができる。
【００１９】
記憶部３０は、速度情報３１等の各種データを格納する記憶装置である。なお、記憶部３０には、後述する各処理において参照される各種データが事前に格納されているものとする。
【００２０】
センサ部４０は、体温センサ４１、心拍センサ４２等の生体センサ部、及び光センサ４３を備える。また、センサ部４０は、その他のセンサ類を備えていてもよい。体温センサ４１は、ユーザの体温を計測する。また、心拍センサ４２は、ユーザの心拍数を計測する。また、光センサ４３は、電子機器１の周囲の明るさを計測する。
【００２１】
衛星利用測位システム５０（ＧＰＳ：Global Positioning System）は、電子機器１の現在地を取得する。
【００２２】
なお、電子機器１が備える各部材は単数であることに限定されず、複数の当該部材を備える構成でもよい。
【００２３】
〔２．処理の流れ〕
本実施形態における処理の流れについて図１〜図４を参照してステップごとに説明する。
【００２４】
図２は、本実施形態に係る処理の流れを示すフローチャートである。
【００２５】
（Ｓ１０１）
ステップＳ１０１において、電子機器１は、目的地案内、つまりナビゲーション機能の実行を開始する。具体的には、電子機器１を操作するユーザ（以下単にユーザと呼称する。）は、所定の操作によって、目的地の名称又は位置情報を、表示部２を介して電子機器１に入力する。制御部１０は、衛星利用測位システム５０を用いて、位置情報として電子機器１の現在地を取得する。次いで制御部１０は、現在地から上記目的地への経路情報を探索し、表示部２に表示する。
【００２６】
（Ｓ１０２）
続いてステップＳ１０２において、制御部１０は、記憶部３０に格納された、ユーザの速度情報３１を取得する。ここで、速度情報３１とは、移動速度に影響を与える促進要因又は阻害要因が存在しない場合における近似的な移動速度であって、基準となる、ユーザの移動速度を示す情報である。なお、当該ユーザが電子機器１による目的地案内を初めて利用する場合、制御部１０は、速度情報３１として、所定の初期値を取得する。また、速度情報３１をユーザごとに補正する構成については実施形態２において後述する。
【００２７】
（Ｓ１０３）
続いて、ステップＳ１０３において、制御部１０は、記憶部３０に格納された、各要因における、ユーザの歩行速度への影響度を示す情報を取得する。図３は、当該情報の例を示す図である。図３における−２〜２の値は、各要因がユーザの移動速度にどの程度の影響を与えるかを示す値である。例えば図３は、当該ユーザが、特に心拍数が平常な数値ではない場合に、移動速度が遅くなる傾向にあることを示している。また、当該情報は、体温又は心拍等のユーザに由来する要因だけでなく、周囲の明るさ等、環境に由来する外的な要因に関する情報を含んでいてもよい。
【００２８】
（Ｓ１０４）
続いて、ステップＳ１０４において、制御部１０は、センサ部４０からユーザの体温及び心拍等並びに周囲の明るさ等を示す情報を随時取得する。
【００２９】
（Ｓ１０５）
続いて、ステップＳ１０５において、制御部１０は、ステップＳ１０４において取得した情報が、ユーザの移動速度に影響を及ぼす要因を示す情報であるか否かを判定する。当該情報が、ユーザの移動速度に影響を及ぼす要因を示す情報である場合、続いてステップＳ１０６の処理が実行され、ユーザの移動速度に影響を及ぼす要因を示す情報でない場合、続いてステップＳ１０７の処理が実行される。
【００３０】
（Ｓ１０６）
ステップＳ１０６において、制御部１０は、ステップＳ１０３及びステップＳ１０４において取得した情報を参照し、各要因がユーザの移動速度に与える影響を示す値を累算する。以下、各要因がユーザの移動速度に与える影響を示す値を、影響度と適宜呼称する。
【００３１】
ここで、ユーザの移動速度に影響を与える要因としては、ユーザの内的な要因である、ユーザの状態に関する情報、及びユーザの行動に対応付けられた情報と、外的な要因である、環境に由来する情報とに大別できる。また、本実施形態に係る電子機器１は、前述した、ユーザの状態に関する情報、及び上記ユーザの行動に対応付けられた情報の少なくとも何れか一方を参照するものとする。
【００３２】
ユーザの状態に関する情報による影響度の計算例としては、
・体温が平熱より２度以上高い場合：＋１
・心拍数が１分間に１２０回以上である場合：＋２
等が挙げられる。ユーザの体調が悪ければ、移動速度が遅くなるものと推定する。
【００３３】
ユーザの行動に対応付けられた情報による影響度の計算例としては、
・目的地での滞在経験が１０回以上ある場合：−１
・滞在経験が無い場合、国外である場合：＋１
・仕事中の場合：＋１
・同行者がいる場合：＋１
等が挙げられる。ユーザにとって慣れた場所であれば、移動速度が速くなるものと推定する。また、仕事中である場合、スーツと荷物等によって、移動速度が遅くなるものと推定し、同行者がいる場合にも、歩調を合わせる為、移動速度が遅くなるものと推定する。
【００３４】
ここで、上述の滞在経験等のユーザの行動履歴は、制御部１０が、衛星利用測位システム５０に由来する情報を適宜参照して、統計情報として記憶部３０に格納する情報である。また、ユーザが仕事中であること等を示すスケジュール情報は、ユーザによる電子機器１への事前の入力操作等によって、記憶部３０に保存される情報である。
【００３５】
なお、
・同行者が初対面である場合：＋１
・同行者が対面１０回以上である場合：−１
というように、更に条件を細分化させてもよい。
【００３６】
環境に由来する情報による影響度の計算例としては、
・周囲の明るさが１０００ルクス以上である場合：−１
等が挙げられる。例えば周囲が十分に明るい方が、移動速度が速くなるものと推定する。
【００３７】
（Ｓ１０７）
続いて、ステップＳ１０７において、制御部１０は、センサ部４０から取得可能な情報のうち、取得していない情報があるか否かを判定する。取得していない情報がある場合は、続いてステップＳ１０４の処理を実行し、無い場合は、続いてステップＳ１０８の処理を実行する。
【００３８】
（Ｓ１０８）
ステップＳ１０８において、制御部１０は、記憶部３０に格納された、ユーザの移動速度に対する補正値を示す情報を取得する。図４は、ステップＳ１０６において求められた、影響度の合計値と移動速度に対する補正値との対応関係の例を示す図である。
【００３９】
図４に示す例において、例えば、影響度の合計値が-2である場合の移動速度への補正値は+0.4km/hとなる。上記補正値は、ユーザが今回の目的地案内において、ステップＳ１０２において制御部１０が取得した速度情報３１が示す移動速度よりも、0.4km/h分だけ速い速度によって移動を行うと推定されることを意味する。
【００４０】
（Ｓ１０９）
続いて、ステップＳ１０９において、算出部１１は、ステップＳ１０２において制御部１０が取得した速度情報３１が示す移動速度を、ステップＳ１０８において制御部１０が取得した補正値により補正を行う。
【００４１】
（Ｓ１１０）
続いて、ステップＳ１１０において、制御部１０は、ステップＳ１０９において補正を行ったユーザの移動速度を用いて、ステップＳ１０１においてユーザが入力した目的地への到着予定時刻である目的地到着時刻を推定し、表示部２に表示させる。
【００４２】
以上が図２のフローチャートに基づく処理の流れである。
【００４３】
このように、本実施形態に係る電子機器１は、少なくとも１つの表示部２と、少なくとも１つの位置情報取得部５０と、少なくとも１つの記憶部３０と、少なくとも１つの制御部１０とを備えた電子機器１であって、制御部１０は、位置情報取得部５０から取得した位置情報、及び記憶部３０から取得したユーザの速度情報３１と、上記ユーザの状態に関する情報、又は上記ユーザの行動に対応付けられた情報の少なくとも何れか一方の情報とを参照して、上記ユーザの入力に基づいて設定された目的地への到着時刻を示す目的地到着時刻を推定し、推定した目的地到着時刻を表示部２に表示させる。
【００４４】
上記の構成によれば、目的地案内のより細かな状況に適合した情報により、ユーザを案内することができ、目的地到着時刻の精度を高めることができる。
【００４５】
また、ステップＳ１０６以降において上述したように、電子機器１は、少なくとも１つの生体センサ部４１又は４２等を備え、制御部１０は、上記ユーザの状態に関する情報として、生体センサ部４１又は４２等から取得した上記ユーザの生体情報を参照して、上記ユーザの目的地到着時刻を推定してもよい。
【００４６】
上記の構成によれば、電子機器１は、ユーザの体調に応じた目的地到着時刻を提示することができる。
【００４７】
また、制御部１０は、上記ユーザの行動に対応付けられた情報として、記憶部３０から取得した目的地への上記ユーザの訪問履歴を参照して、上記ユーザの目的地到着時刻を推定してもよい。
【００４８】
上記の構成によれば、目的地へのユーザの訪問履歴に応じた目的地到着時刻を提示することができる。
【００４９】
また、制御部１０は、上記ユーザの行動に対応付けられた情報として、例えば上記ユーザが仕事中であること等を示すスケジュール情報であって、記憶部３０から取得したスケジュール情報を参照して、上記ユーザの目的地到着時刻を推定してもよい。
【００５０】
上記の構成によれば、ユーザのスケジュール情報に応じた目的地到着時刻を提示することができる。
【００５１】
＜実施形態１に係る付記事項＞
表示部２が、タッチパネルとしての機能を備えず、単なる表示パネルである構成でもよい。上記の構成の場合、電子機器１は、ユーザからの入力指示を受け付けるボタン、キーボード、あるいはトラックパッド等の入力デバイスを別途備える。
【００５２】
電子機器１は、複数のユーザの速度情報３１、図３に示すような各要因におけるユーザの歩行速度への影響度を示す情報、及び図４に示すような影響度の合計値と移動速度に対する補正値との対応関係を示す情報を保存し、目的地案内機能を利用するユーザごとに切り替えて参照又は利用する構成でもよい。
【００５３】
電子機器１が提示する目的地到着時刻は、目的地案内の途中で随時更新してもよい。例えばユーザが途中で店に立ち寄る等した場合、要した時間分、目的地到着時刻を延長してもよい。
【００５４】
また、目的地案内の途中で、ユーザの移動速度に影響を与える要因が変化した場合、電子機器１は、当該要因の変化を反映した目的地到着時刻を提示しなおしてもよい。
【００５５】
なお、上述した各付記事項は、後述する実施形態２においても適宜の適用が可能である。
【００５６】
〔実施形態２〕
本発明の第２の実施形態について、図１及び図３〜図６を参照して説明する。本実施形態においては、電子機器１が、ユーザの移動速度を示す速度情報３１を補正する処理について説明する。なお便宜上、上記実施形態にて説明した部材と同じ機能を有する部材については、同じ符号を付記し、説明を省略する。
【００５７】
〔１．電子機器１の構成〕
本実施形態においても図１に示す構成を用いる。
【００５８】
〔２．処理の流れ〕
本実施形態における処理の流れについて図１及び図３〜図６を参照してステップごとに説明する。
【００５９】
図５は、本実施形態に係る処理の流れを示すフローチャートである。なお、図５のフローチャートにおける各処理は、図２のフローチャートにおける各処理と並行してなされてもよい。
【００６０】
（Ｓ２０１）
ステップＳ２０１において、電子機器１は、目的地案内、つまりナビゲーション機能の実行を開始する。具体的には、電子機器１を操作するユーザ（以下単にユーザと呼称する。）は、所定の操作によって、目的地の名称又は位置情報を、表示部２を介して入力する。制御部１０は、衛星利用測位システム５０を用いて電子機器１の現在地を取得する。次いで制御部１０は、現在地から上記目的地への経路情報を探索し、表示部２に表示する。
【００６１】
また、制御部１０は、衛星利用測位システム５０を用いて、出発地点等、任意の地点からの移動距離を計測する処理と、上記任意の地点からの当該移動距離の移動に要した時間を計測する処理とを開始する。
【００６２】
（Ｓ２０２）
続いて、ステップＳ２０２において、制御部１０は、移動距離及び時間の計測を開始してから所定の時間経過後に又は所定の距離移動後に、当該計測を開始してからの経過時間、及びユーザの移動距離を取得する。当該経過時間及び移動距離は、後述するステップＳ２０３において、ユーザの移動速度の算出処理に用いられる。故に、例えばユーザが途中で店に立ち寄る等して殆ど移動していない時間については、上述した経過時間に含まない構成でもよい。
【００６３】
（Ｓ２０３）
続いて、ステップＳ２０３において、算出部１１は、ステップＳ２０２において制御部１０が取得した経過時間及びユーザの移動距離から、今回の目的地案内における、ユーザの移動速度を算出する。
【００６４】
なお、算出部１１は、ステップＳ２０１からステップＳ２０３において上述した移動速度の算出処理を、所定の時間ごと又は所定の距離の移動ごとに行い、算出された複数の移動速度における中央値、平均値又は最頻値等を求め、以降の処理に用いる構成でもよい。本ステップにおける処理が実行されたのち、続いて下記のステップＳ１０３からステップＳ１０８までの処理が実行される。
【００６５】
（Ｓ１０３〜Ｓ１０８）
続いて、ステップＳ１０３からステップＳ１０８において、実施形態１と同様の処理が行われる。ステップＳ１０３における、制御部１０がユーザの歩行速度への影響度を示す情報を取得する処理から、ステップＳ１０８における、制御部１０が補正値を示す情報を取得する処理が実行されたのち、続いてステップＳ２０４の処理が実行される。
【００６６】
（Ｓ２０４）
続いて、ステップＳ２０４において、算出部１１は、ステップＳ２０３において算出した、ユーザの移動速度と、ステップＳ１０８において制御部１０が取得した補正値とを参照し、今回の目的地案内における移動速度であって、図３に示すような、移動速度に影響を与える促進要因又は阻害要因が存在しなかった場合における近似的な移動速度を算出する。
【００６７】
（Ｓ２０５）
続いて、ステップＳ２０５において、制御部１０は、記憶部３０に格納された、ユーザの速度情報３１を取得する。なお、当該ユーザが電子機器１による目的地案内を初めて利用する場合、本ステップにおける処理は省略される。
【００６８】
（Ｓ２０６）
続いて、ステップＳ２０６において、算出部１１は、ステップＳ２０４において算出した移動速度と、ステップＳ２０５において制御部１０が取得した速度情報３１が示す移動速度とから、新たに速度情報３１として記憶部３０に格納される移動速度を算出する。
【００６９】
ここで、新たに速度情報３１として記憶部３０に格納される移動速度は、ステップＳ２０４の移動速度と、ステップＳ２０５の移動速度との平均値でもよいし、ユーザに対する各目的地案内全体における移動速度の平均値でもよい。後者の場合、記憶部３０が、電子機器１がユーザに対して目的地案内を行った回数を記録しておき、制御部１０が、当該回数を参照して上述した移動速度の平均値を算出する。
【００７０】
なお、当該ユーザが電子機器１による目的地案内を初めて利用する場合、ステップＳ２０４において算出部１１が算出した移動速度が、続くステップＳ２０７において用いられる。
【００７１】
（Ｓ２０７）
続いて、ステップＳ２０７において、制御部１０は、ステップＳ２０６において算出部１１が算出した移動速度を新たな速度情報３１として、次回以降の目的地案内において参照可能となるように記憶部３０に格納する。
【００７２】
ここで、上述した新たな速度情報３１について補足する。図６は、新たな速度情報３１を求め、次回の目的地案内に使用する例を示す概略図である。図６（ａ）は、今回の目的地案内を、図６（ｂ）は、次回の目的地案内をそれぞれ示している。ステップＳ２０３において算出された移動速度、つまり図６（ａ）における実際の歩行速度が3km/hであり、ステップＳ２０４において算出された移動速度、つまり図６(ａ)における歩行への影響がない場合の速度が3.6km/hであった場合、制御部１０は、ステップＳ２０７において3.6km/hをユーザの速度情報３１として記憶部３０に格納する。
【００７３】
そして、図６（ｂ）のように、次回あるいは次回以降の目的地案内において、制御部１０は、記憶部３０に格納された速度情報３１を参照し、ユーザの移動速度に影響を与える促進要因又は阻害要因を考慮した上で、目的地への到着時刻をユーザに提示する。
【００７４】
以上が図５のフローチャートに基づく処理の流れである。
【００７５】
このように本実施形態に係る電子機器１が備える制御部１０は、上記ユーザの速度情報３１を、上記ユーザの状態に関する情報、及び上記ユーザの行動に対応付けられた情報の少なくとも何れか一方の情報を用いて補正し、次回以降の目的地案内において参照可能となるように記憶部３０に格納してもよい。
【００７６】
上記の構成によれば、速度情報３１が示す移動速度を、よりユーザの移動速度に近似させ、目的地到着時刻の精度を高めることができる。
【００７７】
＜実施形態２に係る付記事項＞
ステップＳ２０２における、ユーザがある程度、一定速度で移動しているか否かの判定処理は、制御部１０が、衛星利用測位システム５０に由来する情報を用いてもよい。あるいは、センサ部４０が加速度センサ等のセンサを別途備え、制御部１０が当該センサに由来する情報を用いてもよい。
【００７８】
また、電子機器１が目的地案内の都度更新可能な情報は、ユーザの速度情報３１に限定されない。電子機器１は、記憶部３０に格納された、図３に示すような各要因におけるユーザの歩行速度への影響度を示す情報、及び図４に示すような影響度の合計値と移動速度に対する補正値との対応関係を示す情報を更新してもよい。また、電子機器１は、上述した各情報の更新において、記憶部３０に統計情報を蓄積し、例えば機械学習によって、より好適な各数値を導出してもよい。
【００７９】
〔ソフトウェアによる実現例〕
電子機器１の制御ブロック（特に算出部１１）は、集積回路（ＩＣチップ）等に形成された論理回路（ハードウェア）によって実現してもよいし、ソフトウェアによって実現してもよい。
【００８０】
後者の場合、電子機器１は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８１】
〔まとめ〕
本発明の態様１に係る電子機器１は、少なくとも１つの表示部２と、少なくとも１つの位置情報取得部５０と、少なくとも１つの記憶部３０と、少なくとも１つの制御部１０とを備えた電子機器１であって、制御部１０は、位置情報取得部５０から取得した位置情報、及び記憶部３０から取得したユーザの速度情報３１と、上記ユーザの状態に関する情報、又は上記ユーザの行動に対応付けられた情報の少なくとも何れか一方の情報とを参照して、上記ユーザの入力に基づいて設定された目的地への到着時刻を示す目的地到着時刻を推定し、推定した目的地到着時刻を表示部２に表示させる構成である。上記の構成によれば、目的地案内のより細かな状況に適合した情報により、ユーザを案内することができ、目的地到着時刻の精度を高めることができる。
【００８２】
本発明の態様２に係る電子機器１は、上記の態様１において、電子機器１は、少なくとも１つの生体センサ部４１又は４２等をさらに備え、制御部１０は、上記ユーザの状態に関する情報として、生体センサ部４１又は４２等から取得した上記ユーザの生体情報を参照して、上記ユーザの目的地到着時刻を推定する構成としてもよい。上記の構成によれば、電子機器１は、ユーザの体調に応じた目的地到着時刻を提示することができる。
【００８３】
本発明の態様３に係る電子機器１は、上記の態様１又は２において、制御部１０は、上記ユーザの速度情報３１を、上記ユーザの状態に関する情報、及び上記ユーザの行動に対応付けられた情報の少なくとも何れか一方の情報を用いて補正し、次回以降の目的地案内において参照可能となるように記憶部３０に格納する構成としてもよい。上記の構成によれば、速度情報３１が示す移動速度を、よりユーザの移動速度に近似させ、目的地到着時刻の精度を高めることができる。
【００８４】
本発明の態様４に係る電子機器１は、上記の態様１から３までの何れかにおいて、制御部１０は、上記ユーザの行動に対応付けられた情報として、記憶部３０から取得した目的地への上記ユーザの訪問履歴を参照して、上記ユーザの目的地到着時刻を推定する構成としてもよい。上記の構成によれば、電子機器１は、目的地へのユーザの訪問履歴に応じた目的地到着時刻を提示することができる。
【００８５】
本発明の態様５に係る電子機器１は、上記の態様１から４までの何れかにおいて、制御部１０は、上記ユーザの行動に対応付けられた情報として、記憶部３０から取得した上記ユーザのスケジュール情報を参照して、上記ユーザの目的地到着時刻を推定する構成としてもよい。上記の構成によれば、電子機器１は、ユーザのスケジュール情報に応じた目的地到着時刻を提示することができる。
【００８６】
本発明の態様６に係る目的地到着時刻算出方法は、電子機器１によって実行される目的地到着時刻算出方法であってユーザの状態に関する情報と、上記ユーザの行動に対応付けられた情報との少なくとも何れか一方の情報を参照して、上記ユーザの目的地到着時刻を推定する推定ステップと、推定した目的地到着時刻を表示する表示ステップと、を含む方法である。上記の方法によれば、目的地到着時刻の精度を高めることができる。
【００８７】
本発明の態様７に係る制御装置１０は、電子機器１を制御する制御装置１０であって、ユーザの位置情報又は速度情報３１と、上記ユーザの状態に関する情報、及び上記ユーザの行動に対応付けられた情報の少なくとも何れか一方の情報とを参照して、上記ユーザの目的地到着時刻を推定する構成である。上記の構成によれば、目的地到着時刻の精度を高めることができる電子機器１を実現できる。
【００８８】
本発明の態様８に係る制御プログラムは、態様１から５までに記載の電子機器１としてコンピュータを機能させるための制御プログラムであって、制御部１０としてコンピュータを機能させる構成としてもよい。
【００８９】
本発明の各態様に係る電子機器１は、コンピュータによって実現してもよく、この場合には、コンピュータを電子機器１が備える各部（ソフトウェア要素）として動作させることにより電子機器１をコンピュータにて実現させる電子機器１の制御プログラム、およびそれを記録したコンピュータ読み取り可能な記録媒体も、本発明の範疇に入る。
【００９０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００９１】
１  電子機器
２  表示部
１０  制御部（制御装置）
１１  算出部
１２  表示制御部
３０  記憶部
３１  速度情報
４０  センサ部
４１  体温センサ（生体センサ部）
４２  心拍センサ（生体センサ部）
４３  光センサ
５０  衛星利用測位システム（位置情報取得部）
【図１】
2019168281.tif 000003
【図２】
2019168281.tif 000004
【図３】
2019168281.tif 000005
【図４】
2019168281.tif 000006
【図５】
2019168281.tif 000007
【図６】
2019168281.tif 000008